(57)【特許請求の範囲】
【請求項１】
複数端末から複数合成災害情報をそれぞれ収集する災害情報収集部と、
前記複数合成災害情報に対応する複数アイコンが配置された地図を作成する地図作成部と、前記複数アイコンのうちの各アイコンは、前記複数合成災害情報のうちの前記各アイコンに対応する合成災害情報が示す災害位置に配置され、
入力装置から入力される情報に基づいて前記複数アイコンのうちから選択アイコンが選択されたときに、前記複数合成災害情報のうちの前記選択アイコンに対応する選択合成災害情報が示す出力情報を出力装置から出力する災害情報出力部とを具備し、
前記複数アイコンの各アイコンは、前記複数合成災害情報のうちの前記各アイコンに対応する合成災害情報が映像を含むときに、映像アイコンとともに前記地図に配置され、
前記災害情報出力部は、前記入力装置から入力される情報に基づいて前記映像アイコンが選択されたときに、前記映像を表示装置に表示する
災害情報表示装置。
【請求項２】
複数端末から複数合成災害情報をそれぞれ収集する災害情報収集部と、
前記複数合成災害情報に対応する複数アイコンが配置された地図を作成する地図作成部と、前記複数アイコンのうちの各アイコンは、前記複数合成災害情報のうちの前記各アイコンに対応する合成災害情報が示す災害位置に配置され、
入力装置から入力される情報に基づいて前記複数アイコンのうちから選択アイコンが選択されたときに、前記複数合成災害情報のうちの前記選択アイコンに対応する選択合成災害情報が示す出力情報を出力装置から出力する災害情報出力部とを具備し、
前記複数アイコンの各アイコンは、前記複数合成災害情報のうちの前記各アイコンに対応する合成災害情報が映像を含むときに、前記映像とともに前記地図に配置される
災害情報表示装置。
【請求項３】
複数端末から複数合成災害情報をそれぞれ収集する災害情報収集部と、
前記複数合成災害情報に対応する複数アイコンが配置された地図を作成する地図作成部と、前記複数アイコンのうちの各アイコンは、前記複数合成災害情報のうちの前記各アイコンに対応する合成災害情報が示す災害位置に配置され、
入力装置から入力される情報に基づいて前記複数アイコンのうちから選択アイコンが選択されたときに、前記複数合成災害情報のうちの前記選択アイコンに対応する選択合成災害情報が示す出力情報を出力装置から出力する災害情報出力部とを具備し、
前記複数アイコンの各アイコンは、前記複数合成災害情報のうちの前記各アイコンに対応する合成災害情報が音声を含むときに、音声アイコンとともに前記地図に配置され、
前記災害情報出力部は、前記入力装置から入力される情報に基づいて前記音声アイコンが選択されたときに、前記音声を音声装置から出力する
災害情報表示装置。
【請求項４】
請求項１〜請求項３のいずれかにおいて、
前記複数アイコンの各アイコンは、前記複数合成災害情報のうちの前記各アイコンに対応する合成災害情報が示す災害名を示す図形に形成される
災害情報表示装置。
【請求項５】
請求項１〜請求項４のいずれかにおいて、
前記図形は、前記災害名を示す文字列に形成される
災害情報表示装置。
【請求項６】
請求項１〜請求項５のいずれかにおいて、
前記複数合成災害情報のうちの各合成災害情報が示す災害位置は、前記複数端末のうちの前記各合成災害情報が備える位置検出装置により検出された位置を示す
災害情報表示装置。
【請求項７】
複数端末から複数合成災害情報をそれぞれ収集するステップと、
前記複数合成災害情報に対応する複数アイコンが配置された地図を作成するステップと、前記複数アイコンのうちの各アイコンは、前記複数合成災害情報のうちの前記各アイコンに対応する合成災害情報が示す災害位置に配置され、
入力装置から入力される情報に基づいて前記複数アイコンのうちから選択アイコンが選択されたときに、前記複数合成災害情報のうちの前記選択アイコンに対応する選択合成災害情報が示す出力情報を出力装置から出力するステップとを具備し、
前記複数アイコンの各アイコンは、前記複数合成災害情報のうちの前記各アイコンに対応する合成災害情報が映像を含むときに、映像アイコンとともに前記地図に配置され、
前記映像は、前記入力装置から入力される情報に基づいて前記映像アイコンが選択されたときに、表示装置に表示される
災害情報表示方法。
【請求項８】
複数端末から複数合成災害情報をそれぞれ収集するステップと、
前記複数合成災害情報に対応する複数アイコンが配置された地図を作成するステップと、前記複数アイコンのうちの各アイコンは、前記複数合成災害情報のうちの前記各アイコンに対応する合成災害情報が示す災害位置に配置され、
入力装置から入力される情報に基づいて前記複数アイコンのうちから選択アイコンが選択されたときに、前記複数合成災害情報のうちの前記選択アイコンに対応する選択合成災害情報が示す出力情報を出力装置から出力するステップとを具備し、
前記複数アイコンの各アイコンは、前記複数合成災害情報のうちの前記各アイコンに対応する合成災害情報が映像を含むときに、前記映像とともに前記地図に配置される
災害情報表示方法。
【請求項９】
複数端末から複数合成災害情報をそれぞれ収集するステップと、
前記複数合成災害情報に対応する複数アイコンが配置された地図を作成するステップと、前記複数アイコンのうちの各アイコンは、前記複数合成災害情報のうちの前記各アイコンに対応する合成災害情報が示す災害位置に配置され、
入力装置から入力される情報に基づいて前記複数アイコンのうちから選択アイコンが選択されたときに、前記複数合成災害情報のうちの前記選択アイコンに対応する選択合成災害情報が示す出力情報を出力装置から出力するステップとを具備し、
前記複数アイコンの各アイコンは、前記複数合成災害情報のうちの前記各アイコンに対応する合成災害情報が音声を含むときに、音声アイコンとともに前記地図に配置され、
前記音声は、前記入力装置から入力される情報に基づいて前記音声アイコンが選択されたときに、音声装置から出力される
災害情報表示方法。
【請求項１０】
請求項７〜請求項９のいずれかにおいて、
前記複数アイコンの各アイコンは、前記複数合成災害情報のうちの前記各アイコンに対応する合成災害情報が示す災害名を示す図形に形成される
災害情報表示方法。
【請求項１１】
請求項７〜請求項１０のいずれかにおいて、
前記図形は、前記災害名を示す文字列に形成される
災害情報表示方法。
【請求項１２】
請求項７〜請求項１１のいずれかにおいて、
前記複数合成災害情報のうちの各合成災害情報が示す災害位置は、前記複数端末のうちの前記各合成災害情報が備える位置検出装置により検出された位置を示す
災害情報表示方法。
【請求項１３】
複数端末から複数合成災害情報をそれぞれ収集する災害情報収集手段と、
前記複数合成災害情報に対応する複数アイコンが配置された地図を作成する地図作成手段と、前記複数アイコンのうちの各アイコンは、前記複数合成災害情報のうちの前記各アイコンに対応する合成災害情報が示す災害位置に配置され、
入力装置から入力される情報に基づいて前記複数アイコンのうちから選択アイコンが選択されたときに、前記複数合成災害情報のうちの前記選択アイコンに対応する選択合成災害情報が示す出力情報を出力装置から出力する災害情報出力手段をコンピュータに実現させるための災害情報表示プログラムであり、
前記複数アイコンの各アイコンは、前記複数合成災害情報のうちの前記各アイコンに対応する合成災害情報が映像を含むときに、映像アイコンとともに前記地図に配置され、
前記災害情報出力手段は、前記入力装置から入力される情報に基づいて前記映像アイコンが選択されたときに、前記映像を表示装置に表示する
災害情報表示プログラム。
【請求項１４】
複数端末から複数合成災害情報をそれぞれ収集する災害情報収集手段と、
前記複数合成災害情報に対応する複数アイコンが配置された地図を作成する地図作成手段と、前記複数アイコンのうちの各アイコンは、前記複数合成災害情報のうちの前記各アイコンに対応する合成災害情報が示す災害位置に配置され、
入力装置から入力される情報に基づいて前記複数アイコンのうちから選択アイコンが選択されたときに、前記複数合成災害情報のうちの前記選択アイコンに対応する選択合成災害情報が示す出力情報を出力装置から出力する災害情報出力手段をコンピュータに実現させるための災害情報表示プログラムであり、
前記複数アイコンの各アイコンは、前記複数合成災害情報のうちの前記各アイコンに対応する合成災害情報が映像を含むときに、前記映像とともに前記地図に配置される
災害情報表示プログラム。
【請求項１５】
複数端末から複数合成災害情報をそれぞれ収集する災害情報収集手段と、
前記複数合成災害情報に対応する複数アイコンが配置された地図を作成する地図作成手段と、前記複数アイコンのうちの各アイコンは、前記複数合成災害情報のうちの前記各アイコンに対応する合成災害情報が示す災害位置に配置され、
入力装置から入力される情報に基づいて前記複数アイコンのうちから選択アイコンが選択されたときに、前記複数合成災害情報のうちの前記選択アイコンに対応する選択合成災害情報が示す出力情報を出力装置から出力する災害情報出力手段をコンピュータに実現させるための災害情報表示プログラムであり、
前記複数アイコンの各アイコンは、前記複数合成災害情報のうちの前記各アイコンに対応する合成災害情報が音声を含むときに、音声アイコンとともに前記地図に配置され、
前記災害情報出力手段は、前記入力装置から入力される情報に基づいて前記音声アイコンが選択されたときに、前記音声を音声装置から出力する
災害情報表示プログラム。
【請求項１６】
請求項１３〜請求項１５のいずれかにおいて、
前記複数アイコンの各アイコンは、前記複数合成災害情報のうちの前記各アイコンに対応する合成災害情報が示す災害名を示す図形に形成される
災害情報表示プログラム。
【請求項１７】
請求項１３〜請求項１６のいずれかにおいて、
前記図形は、前記災害名を示す文字列に形成される
災害情報表示プログラム。
【請求項１８】
請求項１３〜請求項１７のいずれかにおいて、
前記複数合成災害情報のうちの各合成災害情報が示す災害位置は、前記複数端末のうちの前記各合成災害情報が備える位置検出装置により検出された位置を示す
災害情報表示プログラム。
【請求項１９】
複数端末から複数合成災害情報をそれぞれ収集する災害情報収集部と、
前記複数合成災害情報に対応する複数アイコンが配置された地図を作成する地図作成部と、前記複数アイコンのうちの各アイコンは、前記複数合成災害情報のうちの前記各アイコンに対応する合成災害情報が示す災害位置に配置され、
入力装置から入力される情報に基づいて前記複数アイコンのうちから選択アイコンが選択されたときに、前記複数合成災害情報のうちの前記選択アイコンに対応する選択合成災害情報が示す出力情報を出力装置から出力する災害情報出力部と、
入力装置から入力される情報に基づいて生成される他の合成災害情報を他の端末に送信する送信部とを具備し、
前記複数アイコンの各アイコンは、前記複数合成災害情報のうちの前記各アイコンに対応する合成災害情報が映像を含むときに、映像アイコンとともに前記地図に配置され、
前記災害情報出力部は、前記入力装置から入力される情報に基づいて前記映像アイコンが選択されたときに、前記映像を表示装置に表示する
防災機能付携帯無線機。
【請求項２０】
複数端末から複数合成災害情報をそれぞれ収集する災害情報収集部と、
前記複数合成災害情報に対応する複数アイコンが配置された地図を作成する地図作成部と、前記複数アイコンのうちの各アイコンは、前記複数合成災害情報のうちの前記各アイコンに対応する合成災害情報が示す災害位置に配置され、
入力装置から入力される情報に基づいて前記複数アイコンのうちから選択アイコンが選択されたときに、前記複数合成災害情報のうちの前記選択アイコンに対応する選択合成災害情報が示す出力情報を出力装置から出力する災害情報出力部と、
入力装置から入力される情報に基づいて生成される他の合成災害情報を他の端末に送信する送信部とを具備し、
前記複数アイコンの各アイコンは、前記複数合成災害情報のうちの前記各アイコンに対応する合成災害情報が映像を含むときに、前記映像とともに前記地図に配置される
防災機能付携帯無線機。
【請求項２１】
複数端末から複数合成災害情報をそれぞれ収集する災害情報収集部と、
前記複数合成災害情報に対応する複数アイコンが配置された地図を作成する地図作成部と、前記複数アイコンのうちの各アイコンは、前記複数合成災害情報のうちの前記各アイコンに対応する合成災害情報が示す災害位置に配置され、
入力装置から入力される情報に基づいて前記複数アイコンのうちから選択アイコンが選択されたときに、前記複数合成災害情報のうちの前記選択アイコンに対応する選択合成災害情報が示す出力情報を出力装置から出力する災害情報出力部と、
入力装置から入力される情報に基づいて生成される他の合成災害情報を他の端末に送信する送信部とを具備し、
前記複数アイコンの各アイコンは、前記複数合成災害情報のうちの前記各アイコンに対応する合成災害情報が音声を含むときに、音声アイコンとともに前記地図に配置され、
前記災害情報出力部は、前記入力装置から入力される情報に基づいて前記音声アイコンが選択されたときに、前記音声を音声装置から出力する
防災機能付携帯無線機。
【発明の詳細な説明】
【技術分野】
【０００１】
本発明は、災害情報表示装置および災害情報表示方法に関し、特に、複数の端末から収集された災害情報を表示する災害情報表示装置および災害情報表示方法に関する。
【背景技術】
【０００２】
ＧＰＳ機能を有し、非常時に位置情報などを送信することができる携帯無線機が知られている。このような携帯無線機は、所有者がどこにいるのかを個別に連絡を行うものであって、情報を受ける側が位置情報を地図上に変換して表示することに適用されている。このような携帯無線機は、広範囲で災害が発生したときに、その災害による道路の分断箇所や建物の崩壊、火災の発生、水害の発生などの災害情報を収集することに適用されることができる。このような災害情報を受けた側は、その災害情報を整理する必要があり、災害発生時などの緊急時の対応に人手を要する。複数の携帯無線機から収集された複数の災害情報をわかりやすく閲覧者に通知することが望まれている。
【０００３】
特開２０００−３２２６７８号公報には、危機に遭遇した場合には直ちに救助することが出来るようにした携帯電話機が開示されている。その防犯及び防災機能付き携帯電話機は、携帯電話機において、本体の所定の位置に１１０番ボタンと１１９番ボタンを対にして設け、これらボタンには不注意又は間違えにて押すことがないようにカバー等の安全装置が備わり、そして該ボタンを押すことで警察署及び消防署又は警備会社へ繋がり、しかも内蔵しているナビゲーション機能にて現在位置を知らせることが出来ることを特徴としている。
【０００４】
特開２００３−１０１６７５号公報には、危機に遭遇した場合には直ちに救助することが出来るようにしたものであり、同時に携帯電話機が奪われた場合であっても該携帯電話機の１１０番ボタン及び１１９番ボタンが機能するようにした携帯電話機が開示されている。その防犯及び防災機能付き携帯電話機は、本体の所定の位置に１１０番ボタンと１１９番ボタンを対にして設け、これらボタンには不注意又は間違えにて押すことがないようにカバー等の安全装置が備わり、そして該ボタンを押すことで警察署及び消防署又は警備会社へ繋がり、又、携帯電話機の付属部品であって常に身に付けている送信機からの信号にて上記１１０番ボタン及び１１９番ボタン機能が作動し、しかも内蔵しているＧＰＳ機能にて現在位置を知らせることが出来ることを特徴としている。
【０００５】
特開２００３−１５８５８６号公報には、特に１１０番や１１９番などへの緊急通報が集中して緊急通話回線が混雑するような場合に、現在受付対応中あるいは既に出動対応済の事故や災害の内容を音声合成により音声案内して順次待機させ、緊急通報の重複による混乱を避けるとともに、通報者との応答により事前に災害通報内容を認識して受付処理の優先順位の設定が可能な緊急通報の受付処理システムが開示されている。その緊急通報の受付処理システムは、公衆通信回線や専用通信回線などの通信回線を介して１１０番や１１９番などの緊急通話回線に通信入力する通報者からの緊急通報を受信し、災害の発生場所や災害内容などの通報内容に対応して出動のための所定の操作入力を行う指令台と、同指令台の操作入力により通報内容に対応した出動隊を編成するとともに、出動指令書または出動指令データを作成出力する自動出動指定装置と、作成された出動指令書または出動指令データを関連署所に伝送する指令伝送装置と、前記通信回線と通信接続し、前記指令伝送装置からの前記出動指令書または出動指令データを関連署所に通信出力する、または前記緊急通話回線からの緊急通報を通信入力する通信制御手段を有する指令制御装置と、前記緊急通話回線の混雑時に新規の通報者に所定の音声案内を自動応答する自動音声応答装置とを備えた緊急通報の受付処理システムであって、前記自動音声応答装置は、前記指令台で操作入力する操作入力データに基づいて所定の案内文を作成するとともに、作成された前記所定の案内文を音声合成して前記緊急通話回線の混雑時に前記新規の通報者に対して現在対応中の災害内容を説明するための災害用音声案内を送出する音声案内手段と、前記新規の通報者に送出する所定の音声ガイダンスに対する前記新規の通報者からの応答から災害通報内容を認識する応答認識手段と、同応答認識手段が認識した災害通報内容から緊急通報の優先順位を判定する優先度判定手段とを備え、前記指令制御装置は、前記緊急通話回線の混雑時にすぐには対応できない新規の通報者から着信した緊急通話を、前記自動音声応答装置に切換接続し、前記応答認識手段が認識した前記新規の通報者からの災害通報内容により前記優先度判定手段で優先順位を判定して待機させるとともに、前記優先度判定手段が判定して設定した前記優先順位に基づいて前記指令台に順次回線接続する回線切換接続手段を備えて構成したことを特徴とする。
【０００６】
特開２００３−３２３６８３号公報には、防災情報を地域密着型で迅速に取得して公表できる防災システムが開示されている。その防災システムは、地図を表示するための地図情報を記憶する地図情報データベースと、防災情報を前記地図と関連付けて記憶する防災情報データベースと、インターネットのウェブに地図を出力し、権限あるユーザから前記地図の位置を特定して防災情報が入力されると、前記防災情報データベースに地図と関連付けて記憶すると共に、ウェブの地図上には対応するアイコンを表示し、当該アイコンが選択されると、対応する防災情報の内容を表示するサーバとを有することを特徴とする。
【０００７】
特開２００４−２４０８２７号公報には、災害時に各建物や構造物の正確な被災位置を緯度経度情報によって特定し、その位置と被災状況とをリンクさせた情報を配信できるようにするシステムが開示されている。そのシステムは、災害発生時に被災状況に関する情報を収集して配信するためのシステムであって、現在位置を緯度経度情報として検出する検出手段を有する携帯端末から、当該検出手段により検出された緯度経度情報と、その現在位置での被災状況を表す被災情報とを受信する受信手段と、前記受信した緯度経度情報で特定された地点を地図上に表示した被災状況提示画面を作成する画面作成手段と、前記特定された地点に前記受信した被災情報を関係付けて登録する情報登録手段と、前記作成した被災状況提示画面を配信する配信手段と、を備えることを特徴とする。
【０００８】
特開２００５−２１０２９８号公報には、携帯電話網が利用できない不慮の災害や犯罪に遭遇した場合にも、その所在位置の探索が可能な、防犯および防災機能付き携帯電話機が開示されている。その防犯および防災機能付き携帯電話機は、発光手段と、携帯電話電波とは別の電波信号の発信手段と、音信号の発生手段と、複数の作動モードから所定の作動モードを選択するスイッチとを備え、第１の上記作動モードは、少なくとも上記発光手段と音信号の発生手段とのいずれかを作動させるものであり、第２の上記作動モードは、上記電波信号の発信手段を作動させるものであり、第３の上記作動モードは、上記電波信号の発信手段および、少なくとも上記発光手段と音信号の発生手段とのいずれかを作動させるものであることを特徴としている。
【０００９】
特開２００６−１０１１２１号公報には、監視エリアを限定しない監視システムが開示されている。その監視システムは、少なくともカメラを内蔵し、該カメラによって、所定の間隔で撮影し、ワイヤレス伝送するために、移動体が装着する携帯端末と、該携帯端末が撮影した画像を受信し記録及び管理するサーバとを備えたことを特徴とする。
【００１０】
【特許文献１】特開２０００−３２２６７８号公報
【特許文献２】特開２００３−１０１６７５号公報
【特許文献３】特開２００３−１５８５８６号公報
【特許文献４】特開２００３−３２３６８３号公報
【特許文献５】特開２００４−２４０８２７号公報
【特許文献６】特開２００５−２１０２９８号公報
【特許文献７】特開２００６−１０１１２１号公報
【発明の開示】
【発明が解決しようとする課題】
【００１１】
本発明の課題は、複数の端末から収集された複数の災害情報をわかりやすくユーザに通知する災害情報表示装置および災害情報表示方法を提供することにある。
【課題を解決するための手段】
【００１２】
本発明による災害情報表示装置は、複数端末から複数合成災害情報をそれぞれ収集する災害情報収集部と、その複数合成災害情報に対応する複数アイコンが配置された地図を作成する地図作成部と、入力装置から入力される情報に基づいてその複数アイコンのうちから選択アイコンが選択されたときに、その複数合成災害情報のうちのその選択アイコンに対応する選択合成災害情報が示す出力情報を出力装置から出力する災害情報出力部とを備えている。このとき、その複数アイコンのうちの各アイコンは、その地図上の、複数合成災害情報のうちのそのアイコンに対応する合成災害情報が示す災害位置に配置されている。
【００１３】
本発明による災害情報表示方法は、複数端末から複数合成災害情報をそれぞれ収集するステップと、その複数合成災害情報に対応する複数アイコンが配置された地図を作成するステップと、入力装置から入力される情報に基づいてその複数アイコンのうちから選択アイコンが選択されたときに、その複数合成災害情報のうちのその選択アイコンに対応する選択合成災害情報が示す出力情報を出力装置から出力するステップとを備えている。このとき、その複数アイコンのうちの各アイコンは、その地図上で、その複数合成災害情報のうちのそのアイコンに対応する合成災害情報が示す災害位置に配置されている。
【００１４】
本発明による災害情報表示プログラムは、複数端末から複数合成災害情報をそれぞれ収集する災害情報収集手段と、その複数合成災害情報に対応する複数アイコンが配置された地図を作成する地図作成手段と、入力装置から入力される情報に基づいてその複数アイコンのうちから選択アイコンが選択されたときに、その複数合成災害情報のうちのその選択アイコンに対応する選択合成災害情報が示す出力情報を出力装置から出力する災害情報出力手段とをコンピュータに実現させる。このとき、その複数アイコンのうちの各アイコンは、その地図上で、その複数合成災害情報のうちのそのアイコンに対応する合成災害情報が示す災害位置に配置されている。
【００１５】
本発明による防災機能付携帯無線機は、複数端末から複数合成災害情報をそれぞれ収集する災害情報収集部と、その複数合成災害情報に対応する複数アイコンが配置された地図を作成する地図作成部と、入力装置から入力される情報に基づいてその複数アイコンのうちから選択アイコンが選択されたときに、その複数合成災害情報のうちのその選択アイコンに対応する選択合成災害情報が示す出力情報を出力装置から出力する災害情報出力部と、入力装置から入力される情報に基づいて生成される他の合成災害情報を他の端末に送信する送信部とを備えている。このとき、その複数アイコンのうちの各アイコンは、その地図上で、その複数合成災害情報のうちのそのアイコンに対応する合成災害情報が示す災害位置に配置されている。
【発明の効果】
【００１６】
本発明による災害情報表示装置および災害情報表示方法によれば、ユーザは、複数の端末からそれぞれ収集された複数の災害情報をよりわかりやすく閲覧することができる。
【発明を実施するための最良の形態】
【００１７】
図面を参照して、本発明による災害情報表示装置の実施の形態を記載する。その災害情報表示装置１は、図１に示されているように、災害情報表示システム２に適用されている。災害情報表示システム２は、インターネット３を介して複数の情報処理装置（コンピュータ）が互いに双方向に情報を伝送することができるように接続されている。その複数の情報処理装置は、災害情報表示装置１と複数の防災機能付携帯無線機５−１〜５−ｎ（ｎ＝２，３，４，…）から形成されている。
【００１８】
図２は、複数の防災機能付携帯無線機５−１〜５−ｎのうちの各防災機能付携帯無線機５−ｉ（ｉ＝１，２，３，…，ｎ）を示している。防災機能付携帯無線機５−ｉは、いわゆるコンピュータであり、制御部１１と記憶部１２とキー入力部１４と画像入力部１５と音声入力部１６と画像表示部１７と音声出力部１８とＧＰＳ部１９と無線部２０とを備えている。
【００１９】
制御部１１は、いわゆるＣＰＵであり、クロック部２５を備えている。制御部１１は、クロック部２５から出力されるクロックに基づいて、防災機能付携帯無線機５−ｉにインストールされるコンピュータプログラムを実行して、記憶部１２とキー入力部１４と画像入力部１５と音声入力部１６と画像表示部１７と音声出力部１８とＧＰＳ部１９と無線部２０とを制御する。記憶部１２は、ＲＯＭまたはＲＡＭから形成され、そのコンピュータプログラムを記録し、制御部１１により生成される情報を一時的に記録する。
【００２０】
キー入力部１４は、キーボードから形成され、ユーザに操作されることにより文字列を生成し、その文字列を制御部１１に出力する。画像入力部１５は、カメラから形成され、キー入力部１４の所定の操作に応答して、そのカメラが向けられた被写体の画像を撮影し、その画像をデジタル情報である画像情報に変換し、その画像情報を記憶部１２に格納する。音声入力部１６は、マイクから形成され、音声を収音し、その音声をデジタル情報である音声情報に変換し、その音声情報を記憶部１２に格納する。
【００２１】
画像表示部１７は、ディスプレイから形成され、制御部１１により生成される画像を表示する。音声出力部１８は、スピーカから形成され、制御部１１により生成された音声を出力する。ＧＰＳ部１９は、ＧＰＳ衛星から発振される電波に基づいて防災機能付携帯無線機５−ｉが配置される位置を検出し、その位置の経度と緯度とを記憶部１２に格納する。
【００２２】
無線部２０は、アンテナ部２３を備え、アンテナ部２３を用いて外部からの無線信号を受信し、その無線信号を受信情報に復調して制御部１１に出力する。無線部２０は、さらに、制御部１１により生成された情報を無線信号に変調し、アンテナ部２３を用いてその無線信号を外部に送信する。
【００２３】
防災機能付携帯無線機５−ｉは、さらに、音声認識部２１と情報合成部２２とを備えている。音声認識部２１は、音声入力部１６により収音された音声を文字列に音声認識し、その文字列を制御部１１に出力する。情報合成部２２は、キー入力部１４を用いて入力された災害名と画像入力部１５を用いて撮影された画像と音声入力部１６を用いて入力された音声とＧＰＳ部１９を用いて検出された位置情報とを合成して、合成災害情報を生成する。
【００２４】
防災機能付携帯無線機５−ｉは、さらに、電源部２４を備えている。電源部２４は、電池から形成され、直流電力を生成する。防災機能付携帯無線機５−ｉが備える各ハードウェアは、電源部２４により生成される直流電力を用いて動作する。このとき、防災機能付携帯無線機５−ｉは、ユーザにより携帯されて使用されることができる。
【００２５】
図３は、情報合成部２２により生成される合成災害情報を示している。その合成災害情報３１は、災害情報の全体情報３２と災害名情報３３とＧＰＳ位置情報３４と写真情報３５と音声情報３６とを示している。災害名情報３３は、災害の名称を示し、キー入力部１４を用いて入力された文字列を示している。その名称としては、火災、倒木、土砂崩れ、崩壊、破損が例示される。ＧＰＳ位置情報３４は、ＧＰＳ部１９を用いて検出された防災機能付携帯無線機５−ｉの位置を示し、その位置の緯度と経度とを示している。写真情報３５は、その災害に関する被写体の画像を示し、画像入力部１５を用いて撮影された画像を示している。音声情報３６は、その災害に関する音声を示し、音声入力部１６を用いて入力された音声を示している。
【００２６】
全体情報３２は、発信時間と発信者番号と新着情報／更新情報と写真情報指定と音声情報指定とを示している。その発信時間は、無線部２０により合成災害情報３１が発信される日時を示している。その発信者番号は、防災機能付携帯無線機５−ｉのユーザを識別する番号を示している。その新着情報／更新情報は、合成災害情報３１が新規な情報であるか他の合成災害情報を更新した情報であるかを示している。その写真情報指定は、合成災害情報３１が写真情報３５を含んでいるかどうかを示し、合成災害情報３１が写真情報３５を含んでいるときに、写真情報３５の情報量を示している。その音声情報指定は、合成災害情報３１が音声情報３６を含んでいるかどうかを示し、合成災害情報３１が音声情報３６を含んでいるときに、音声情報３６の情報量を示している。
【００２７】
図４は、合成災害情報３１を生成するときに表示される複数の画面を示している。その複数の画面は、メニュー画面４１と災害名入力画面４２とＧＰＳ情報取得画面４３と写真取得画面４４と音声取得画面４５と情報合成中画面４６と災害情報送信中画面４７と災害情報送信完了画面４８とを含んでいる。メニュー画面４１は、キー入力部１４の所定の操作が施されたときに画像表示部１７に表示される。災害名入力画面４２は、メニュー画面４１が表示されている場合で、キー入力部１４の所定の操作により災害情報送信の機能が選択されたときに画像表示部１７に表示される。ＧＰＳ情報取得画面４３は、ＧＰＳ部１９により防災機能付携帯無線機５−ｉの位置が検出されているときに画像表示部１７に表示される。写真取得画面４４は、ＧＰＳ部１９により防災機能付携帯無線機５−ｉの位置が検出された直後に画像表示部１７に表示される。音声取得画面４５は、画像入力部１５により画像が撮影された直後に画像表示部１７に表示される。情報合成中画面４６は、情報合成部２２により合成災害情報が生成されているときに画像表示部１７に表示される。災害情報送信中画面４７は、無線部２０により合成災害情報が災害情報表示装置１に送信されているときに画像表示部１７に表示される。災害情報送信完了画面４８は、無線部２０により合成災害情報が災害情報表示装置１に正常に送信された直後に画像表示部１７に表示される。
【００２８】
図５は、災害情報表示装置１を示している。災害情報表示装置１は、いわゆるコンピュータであり、図示されていないＣＰＵと記憶装置とを備え、入力装置５１と通信装置５２と表示装置５３と音声装置５４とを備えている。そのＣＰＵは、災害情報表示装置１にインストールされるコンピュータプログラムを実行して、その記憶装置と入力装置５１と通信装置５２と表示装置５３と音声装置５４とを制御する。その記憶装置は、そのコンピュータプログラムを記録し、そのＣＰＵにより生成される情報を一時的に記録する。入力装置５１は、ユーザに操作されることにより情報を生成し、その情報をそのＣＰＵに出力する。入力装置５１としては、マウスが例示される。通信装置５２は、インターネット３を介してそのＣＰＵにより生成された情報を他のコンピュータに送信し、インターネット３を介して他のコンピュータから出力された情報をそのＣＰＵに出力する。そのコンピュータは、防災機能付携帯無線機５−１〜５−ｎを含んでいる。表示装置５３は、そのＣＰＵにより生成された画像を表示する。音声装置５４は、そのＣＰＵにより生成された音声を出力する。
【００２９】
そのコンピュータプログラムは、災害情報収集部５６と地図作成部５７と地図表示部５８と災害情報出力部５９とを含んでいる。
【００３０】
災害情報収集部５６は、インターネット３を介して、複数の防災機能付携帯無線機５−１〜５−ｎから合成災害情報を収集し、その合成災害情報を記憶装置に記録する。地図作成部５７は、災害情報収集部５６により収集された合成災害情報に基づいて、地図にアイコンが配置された合成地図を作成する。地図表示部５８は、地図作成部５７により作成された合成地図を表示装置５３に表示する。災害情報出力部５９は、入力装置５１を介して入力された情報に基づいて地図表示部５８により表示された合成地図に配置された複数のアイコンから１つアイコンを選択する。災害情報出力部５９は、その選択されたアイコンに対応する情報が映像であるときに、その映像を表示装置５３に表示し、その選択されたアイコンに対応する情報が音声であるときに、その音声を音声装置５４から出力する。
【００３１】
図６は、地図作成部５７により作成される合成地図を示している。その合成地図６１は、地図６２と複数のアイコン６３とが記載されている。地図６２は、防災機能付携帯無線機５−１〜５−ｎが配置される地域の地図を示している。アイコン６３は、災害を識別する図形から形成され、地図６２のうちのその災害が発生した位置に配置されている。その合成地図６１は、写真アイコン６４と音声アイコン６５とがさらに記載されている。写真アイコン６４は、複数のアイコン６３のうちの１つのアイコンに隣接して記載されている。音声アイコン６５は、複数のアイコン６３のうちの１つのアイコンに隣接して記載されている。地図表示部５８は、合成地図６１とともにポインタ６６を表示装置５３に表示する。ポインタ６６は、矢印に形成され、入力装置５１が操作されることに応答して、記載される位置が移動する。
【００３２】
すなわち、地図作成部５７は、まず、合成災害情報３１が示す災害名を示す文字列から形成されている災害アイコンを作成する。地図作成部５７は、次いで、地図６２のうちの合成災害情報３１が示す位置に対応する位置を算出する。地図作成部５７は、地図６２のうちのその位置にその災害アイコンが重なって配置されるように、合成地図６１を作成する。地図作成部５７は、さらに、合成災害情報３１が写真情報を含んでいるときに、写真アイコンがその災害アイコンに隣接して配置されている合成地図６１を作成する。地図作成部５７は、さらに、合成災害情報３１が音声情報を含んでいるときに、音声アイコンがその災害アイコンに隣接して配置されている合成地図６１を作成する。
【００３３】
図７は、写真アイコン６４が選択されたときに、表示装置５３に表示される画面を示している。その画像７１は、地図６２と複数のアイコン６３と写真画像７２が記載され、すなわち、合成地図６１に写真画像７２が上書きされて形成されている。写真画像７２は、その選択された写真アイコン６４の近傍に配置されている。
【００３４】
すなわち、災害情報出力部５９は、ユーザによる入力装置５１の操作により、写真アイコン６４が選択されたときに、すなわち、ポインタ６６が写真アイコン６４に重なって表示されている最中にクリックされたときに、その選択された写真アイコン６４に対応する災害アイコンを抽出する。災害情報出力部５９は、その抽出された災害アイコンに対応する合成災害情報を記憶装置から読み出し、その合成災害情報が示す写真情報を写真画像７２に変換する。災害情報出力部５９は、さらに、その写真画像７２がその選択された写真アイコン６４の近傍に配置されるように画像７１を作成し、その画像７１を表示装置５３に表示する。
【００３５】
さらに、災害情報出力部５９は、ユーザによる入力装置５１の操作により、音声アイコン６５が選択されたときに、すなわち、ポインタ６６が音声アイコン６５に重なって表示されている最中にクリックされたときに、その選択された音声アイコン６５に対応する災害アイコンを抽出する。災害情報出力部５９は、その抽出された災害アイコンに対応する合成災害情報を記憶装置から読み出し、その合成災害情報が示す音声情報を音声に変換し、その音声を音声装置５４から出力する。
【００３６】
本発明による災害情報表示方法の実施の形態は、災害情報表示システム２により実行され、合成災害情報を発信する動作と合成災害情報を受信したときの動作とアイコンが選択されたときの動作とを備えている。
【００３７】
図８は、合成災害情報を発信する動作を示している。防災機能付携帯無線機５−ｉは、初期的に、記憶部１２に災害情報表示装置１の宛先（電子メールアドレス）が記録されている。防災機能付携帯無線機５−ｉのユーザは、災害を発見したときに、まず、キー入力部１４を操作して、防災機能付携帯無線機５−ｉを起動させる。防災機能付携帯無線機５−ｉは、その操作に応答して、メニュー画面４１を画像表示部１７に表示する。ユーザは、さらに、キー入力部１４を操作して、メニュー画面４１の災害情報送信を選択する。防災機能付携帯無線機５−ｉは、災害情報送信を選択する。災害情報送信を選択する操作に応答して、災害名入力画面４２を画像表示部１７に表示する（ステップＳ１）。
【００３８】
ユーザは、災害名入力画面４２が表示されているときに、防災機能付携帯無線機５−ｉを操作して災害名を入力する（ステップＳ２）。たとえば、ユーザは、キー入力部１４を操作して災害名入力画面４２に表示されている複数の災害名のうちからその発見された災害の災害名を選択することにより、または、キー入力部１４を操作して災害名を示す文字列を生成することにより、または、音声入力部１６に向かって災害名を示す音声を発音することにより、災害名を入力する。防災機能付携帯無線機５−ｉは、音声を用いて災害名が入力されたときに、音声認識部２１を用いてその音声を文字列に音声認識して災害名を生成する。防災機能付携帯無線機５−ｉは、その入力された災害名を記憶部１２に格納する（ステップＳ３）。災害名を選択することにより、または、音声を発音することにより、災害名を入力することによれば、ユーザは、キー入力部１４を操作して文字列を生成することに比較して、災害名をより速く入力することができ、好ましい。
【００３９】
防災機能付携帯無線機５−ｉは、その災害名を記憶部１２に格納すると、ＧＰＳ情報取得画面４３を画像表示部１７に表示して、ＧＰＳ部１９を起動させて防災機能付携帯無線機５−ｉの位置を検出する（ステップＳ４）。防災機能付携帯無線機５−ｉは、その検出された位置の緯度と経度とを記憶部１２に格納する（ステップＳ５）。
【００４０】
防災機能付携帯無線機５−ｉは、その位置情報を記憶部１２に格納すると、写真取得画面４４を画像表示部１７に表示して、災害に関する被写体の映像を撮影するようにユーザに促す。防災機能付携帯無線機５−ｉは、ユーザによる操作に応答して、画像入力部１５を用いて災害画像を撮影し（ステップＳ６）、その災害画像を記憶部１２に格納する（ステップＳ７）。
【００４１】
防災機能付携帯無線機５−ｉは、その災害名を記憶部１２に格納すると、音声取得画面４５を画像表示部１７に表示して、災害に関する音声を入力するようにユーザに促す。ユーザは、音声入力部１６に向かってその災害の場所の状況を言葉（音声）で入力する（ステップＳ８）。防災機能付携帯無線機５−ｉは、その入力された音声を記憶部１２に格納する（ステップＳ９）。
【００４２】
防災機能付携帯無線機５−ｉは、その音声を記憶部１２に格納すると、情報合成中画面４６を画像表示部１７に表示して、記憶部１２に格納された災害名と位置情報と画像情報と音声情報とに基づいて合成災害情報３１を生成し（ステップＳ１０）、その生成された合成災害情報３１を記憶部１２に格納する（ステップＳ１１）。防災機能付携帯無線機５−ｉは、その合成災害情報３１を記憶部１２に格納すると、害情報送信中画面４７を画像表示部１７に表示して、予め記憶部１２に格納されている宛先にその合成災害情報３１を送信する（ステップＳ１２）。
【００４３】
このような動作によれば、ユーザは、災害の場所を入力する必要がなく、様々な情報を合成する操作をする必要がなく、合成災害情報を送信するごとに災害の発生ごとに災害情報表示装置１の宛先を入力する必要がなく、より容易に災害情報を災害情報表示装置１に送信することができる。
【００４４】
図９は、その合成災害情報を受信したときの動作を示している。災害情報表示装置１は、合成災害情報３１を受信したときに、まず、災害アイコンを作成する（ステップＳ２１）。その災害アイコンは、合成災害情報３１が示す災害名を示す文字列から形成されている。なお、その災害アイコンは、文字列以外の図形から形成されることもできる。その図形としては、その災害の状況を示す映像を簡略化したマークが例示される。
【００４５】
災害情報表示装置１は、地図６２のうちの合成災害情報３１が示す位置に対応する位置を算出し、地図６２のうちのその位置にその災害アイコンが重なって配置されるように、合成地図６１を作成する（ステップＳ２２）。災害情報表示装置１は、さらに、合成災害情報３１が写真情報を含んでいるときに、写真アイコンがその災害アイコンに隣接して配置されている合成地図６１を作成する。災害情報表示装置１は、さらに、合成災害情報３１が音声情報を含んでいるときに、音声アイコンがその災害アイコンに隣接して配置されている合成地図６１を作成する。災害情報表示装置１は、その作成された合成地図６１を表示装置５３に表示する（ステップＳ２３）。
【００４６】
図１０は、そのアイコンが選択されたときの動作を示している。災害情報表示装置１は、入力装置５１の操作により合成地図６１に配置される複数のアイコンのうちの１つのアイコンが選択されたときに、その選択されたアイコンが音声アイコンであるか写真アイコンであるかを判別する（ステップＳ３１）。
【００４７】
災害情報表示装置１は、その選択されたアイコンが写真アイコンであるときに（ステップＳ３１、写真アイコン）、その選択された写真アイコン６４に対応する災害アイコンを抽出する。災害情報表示装置１は、その抽出された災害アイコンに対応する合成災害情報を記憶装置から読み出し、その合成災害情報が示す写真情報を写真画像７２に変換する。災害情報出力部５９は、さらに、その写真画像７２がその選択された写真アイコン６４の近傍に配置されるように画像７１を作成し、その画像７１を表示装置５３に表示する（ステップＳ３２）。
【００４８】
災害情報表示装置１は、その選択されたアイコンが写真アイコンであるときに（ステップＳ３１、音声アイコン）、その選択された音声アイコン６５に対応する災害アイコンを抽出する。災害情報表示装置１は、その抽出された災害アイコンに対応する合成災害情報を記憶装置から読み出し、その合成災害情報が示す音声を音声装置５４から出力する（ステップＳ３３）。
【００４９】
このような動作によれば、ユーザは、合成地図６１を閲覧するだけで地図６２に示される地域にどのような災害が何件発生しているかを確認することができ、災害の全体の状況をより速く確認することができる。すなわち、災害情報表示装置１は、災害情報を１件ずつ表示することに比較して、複数の防災機能付携帯無線機５−１〜５−ｎから収集された複数の災害情報から災害の全体の状況をわかりやすくユーザに通知することができる。ユーザは、さらに、写真アイコン６４を選択する操作をすることにより、個別の災害を示す写真を閲覧することができ、音声アイコン６５を選択する操作をすることにより、個別の災害を示す音声を聞くことができる。すなわち、災害情報表示装置１は、所望の災害の詳細だけをユーザに通知することができ、好ましい。
【００５０】
図１１は、地図作成部５７により作成される合成地図の他の例を示している。その合成地図８１は、地図６２と複数の災害アイコン６３と音声アイコン６５とが記載されている。アイコン６３は、災害を識別する図形から形成され、地図６２のうちのその災害が発生した位置に配置されている。音声アイコン６５は、複数のアイコン６３のうちの１つのアイコンに隣接して記載されている。その合成地図８１は、写真画像８２がさらに記載されている。写真画像８２は、複数のアイコン６３のうちの１つのアイコンに隣接して記載されている。このような合成地図８１によれば、ユーザは、合成地図６１の場合と同様にして、合成地図８１を閲覧するだけで地図６２に示される地域にどのような災害が何件発生しているかを確認することができ、災害の全体の状況をより速く確認することができる。ユーザは、さらに、写真が撮影された災害の写真を、写真アイコン６４を選択する操作をする必要がなく、閲覧することができ、より容易に災害の詳細を確認することができ、好ましい。
【００５１】
本発明による災害情報表示装置の実施の他の形態は、ハードウェアである複数のブロックを備えている。そのブロックは、既述の実施の形態における災害情報収集部５６が示す動作を実行するブロックと地図作成部５７が示す動作を実行するブロックと、地図表示部５８が示す動作を実行するブロックと、災害情報出力部５９が示す動作を実行するブロックとを含んでいる。このよな災害情報表示装置は、既述の実施の形態における災害情報表示装置１と同様にして、複数の防災機能付携帯無線機５−１〜５−ｎから収集された複数の合成災害情報３１をわかりやすくユーザに通知することができる。
【００５２】
なお、音声認識部２１と情報合成部２２とは、コンピュータである他の防災機能付携帯無線機にソフトウェアがインストールされることにより構築されることもできる。その防災機能付携帯無線機は、音声認識部２１に対応するコンピュータプログラムと情報合成部２２に対応するコンピュータプログラムとがインストールされている。音声認識部２１に対応するコンピュータプログラムは、音声認識部２１が実行する動作を示している。情報合成部２２に対応するコンピュータプログラムは、情報合成部２２が実行する動作を示している。このような防災機能付携帯無線機は、既述の実施の形態における防災機能付携帯無線機５−ｉと同様にして動作することができ、ユーザは、災害の場所を入力する必要がなく、様々な情報を合成するための操作をする必要がなく、合成災害情報を送信するごとに災害の発生ごとに災害情報表示装置１の宛先を入力する必要がなく、より容易に災害情報を災害情報表示装置１に送信することができる。
【００５３】
本発明による防災機能付携帯無線機の実施の形態は、既述の実施の形態における防災機能付携帯無線機５−ｉが備える機能と災害情報表示装置１が備える機能との両方を備えている。このような防災機能付携帯無線機は、複数台で、互いに双方向に情報を伝送することができるように接続されているシステムを構築している。このような防災機能付携帯無線機の各々は、初期的に、他の防災機能付携帯無線機の宛先を記録している。その防災機能付携帯無線機は、既述の実施の形態における合成災害情報を発信する動作と合成災害情報を受信したときの動作とアイコンが選択されたときの動作とを実行することができる。
【００５４】
このような防災機能付携帯無線機によれば、ユーザは、他の防災機能付携帯無線機に合成災害情報を発信するとともに、他の防災機能付携帯無線機により合成された合成災害情報を入手することができ、好ましい。
【００５５】
このような防災機能付携帯無線機によれば、さらに、既述の実施の形態における防災機能付携帯無線機５−ｉと同様にして、ユーザは、災害の場所を入力する必要がなく、様々な情報を合成するための操作をする必要がなく、合成災害情報を送信するごとに災害の発生ごとに災害情報表示装置１の宛先を入力する必要がなく、より容易に災害情報を災害情報表示装置１に送信することができる。このような防災機能付携帯無線機は、さらに、既述の実施の形態における災害情報表示装置１と同様にして、複数の防災機能付携帯無線機５−１〜５−ｎから収集された複数の災害情報から災害の全体の状況をわかりやすくユーザに通知することができ、所望の災害の詳細だけをユーザに通知することができる。
【図面の簡単な説明】
【００５６】
【図１】図１は、災害情報表示システムを示すブロック図である。
【図２】図２は、防災機能付携帯無線機を示すブロック図である。
【図３】図３は、合成災害情報を示す図である。
【図４】図４は、合成災害情報を生成するときに表示される複数の画面を示す図である。
【図５】図５は、本発明による災害情報表示装置の実施の形態を示すブロック図である。
【図６】図６は、地図作成部により作成される合成地図の例を示す図である。
【図７】図７は、映像アイコンが選択されたときに表示される画面を示す図である。
【図８】図８は、防災機能付携帯無線機の動作を示すフローチャートである。
【図９】図９は、合成災害情報を受信したときの動作を示すフローチャートである。
【図１０】図１０は、アイコンが選択されたときの動作を示すフローチャートである。
【図１１】図１１は、合成地図の他の例を示す図である。
【符号の説明】
【００５７】
１  ：災害情報表示装置
２  ：災害情報表示システム
３  ：インターネット
５−１〜５−ｎ：防災機能付携帯無線機
１１：制御部
１２：記憶部
１４：キー入力部
１５：画像入力部
１６：音声入力部
１７：画像表示部
１８：音声出力部
１９：ＧＰＳ部
２０：無線部
２１：音声認識部
２２：情報合成部
２３：アンテナ部
２４：電源部
２５：クロック部
３１：合成災害情報
３２：全体情報
３３：災害名情報
３４：ＧＰＳ位置情報
３５：写真情報
３６：音声情報
４１：メニュー画面
４２：災害名入力画面
４３：ＧＰＳ情報取得画面
４４：写真取得画面
４５：音声取得画面
４６：情報合成中画面
４７：害情報送信中画面
４８：災害情報送信完了画面
５１：入力装置
５２：通信装置
５３：表示装置
５４：音声装置
５６：災害情報収集部
５７：地図作成部
５８：地図表示部
５９：災害情報出力部
６１：合成地図
６２：地図
６３：アイコン
６４：写真アイコン
６５：音声アイコン
６６：ポインタ
７１：画像
７２：写真画像
【図１】
0004877554.tif 000002
【図２】
0004877554.tif 000003
【図３】
0004877554.tif 000004
【図４】
0004877554.tif 000005
【図５】
0004877554.tif 000006
【図６】
0004877554.tif 000007
【図７】
0004877554.tif 000008
【図８】
0004877554.tif 000009
【図９】
0004877554.tif 000010
【図１０】
0004877554.tif 000011
【図１１】
0004877554.tif 000012